(57)【要約】【課題】電線カバーの装着時に電線の噛み込みを防止する。【解決手段】コネクタ２の後部に電線カバー２０が装着された電線カバー付きコネクタ１において、コネクタ２の後面の電線引出部１１の近傍に、電線引出部から後方へ向けて引き出された複数の電線Ｗを引っ掛けることにより、複数の電線を束の状態でコネクタの外面に沿った上方向及び前方向に屈曲させるガイド突起１５が設けられ、ガイド突起から離れた位置に、ガイド突起に引っ掛けられることで屈曲させられた電線の復元方向の反力を規制壁１６ｂで受け止め且つその状態で電線を束のまま保持することにより、電線を前方へ向けて導き出す電線保持部１６が設けられている。【選択図】図５
2012221805.tif 000002
【特許請求の範囲】
【請求項１】
コネクタの後部に、該コネクタの後部から引き出された複数の電線を保護しつつ所定の方向へ案内して導き出す電線カバーが装着された電線カバー付きコネクタにおいて、
前記コネクタに、該コネクタの後部から引き出された複数の電線を前記所定の方向へ向くように癖付けして規制する電線規制部が設けられていることを特徴とする電線カバー付きコネクタ。
【請求項２】
前記コネクタの後面に、後方へ向けて前記複数の電線を引き出す電線引出部が設けられ、
その電線引出部の近傍に、前記電線引出部から後方へ向けて引き出された複数の電線を引っ掛けることにより、該複数の電線を束の状態で前記コネクタの外面に沿った方向に屈曲させる第１の前記電線規制部が設けられ、
該第１の電線規制部から離れた位置に、該第１の電線規制部に引っ掛けられることで屈曲させられた電線の復元方向の反力を規制壁で受け止め且つその状態で前記複数の電線を束のまま保持することにより、前記電線を前記所定の方向へ向けて導き出す第２の前記電線規制部が設けられていることを特徴とする請求項１に記載の電線カバー付きコネクタ。
【請求項３】
前記コネクタの上部に、相手側コネクタを嵌合した際に該相手側コネクタのロック部と係合するロックアームが設けられており、そのロックアームの一部を覆うように前記電線カバーが延長されていることを特徴とする請求項１または２に記載の電線カバー付きコネクタ。
【請求項４】
第２の前記電線規制部は、電線保持用凹部を有する２つの半割筒体からなり、一方の前記半割筒体が他方の前記半割筒体にヒンジ部で回動可能に結合され、２つの前記半割筒体を閉状態で固定することで前記電線を規制することを特徴とする請求項１〜３のいずれか一項に記載の電線カバー付きコネクタ。
【請求項５】
回動可能な一方の前記半割筒体は、閉状態でコネクタ端部に圧接するガタ防止突部が形成されていることを特徴とする請求項４に記載に電線カバー付きコネクタ。
【発明の詳細な説明】
【技術分野】
【０００１】
本発明は、電線カバー付きコネクタに関するものである。
【背景技術】
【０００２】
コネクタの後部に電線カバーを装着した電線カバー付きコネクタが、例えば、特許文献１などにおいて知られている。この場合の電線カバーは、主に、コネクタの後部から引き出された複数の電線を保護しつつ所定の方向へ案内して導き出す目的で設けられている。
【０００３】
図１７〜２２は従来の電線カバー付きコネクタ１０１を示しており、図１７はコネクタハウジングに端子を装着する前の状態を示す斜視図、図１８はコネクタハウジングに電線の付いた端子を装着することでコネクタを構成し、コネクタの後部から後方へ引き出された電線を束にして所定の方向へ向かうよう癖付けしている状態を示す斜視図、図１９は図１２の状態のコネクタの後部を覆うように電線カバーの上半体をコネクタに装着した状態を示す斜視図、図２０は電線カバーの下半体を上半体にロックさせて電線カバーをコネクタの後部に装着した状態を示す斜視図である。また、図２１は図１８のように電線を癖付けしている時に何本かの電線がばらけてしまった状態を示す斜視図、図２２は図２１の状態のまま電線カバーをコネクタの後部に装着した際に、ばらけた電線を電線カバーとコネクタとの間に噛み込んでしまった状態を示す斜視図である。
【０００４】
図１７に示すように、この電線カバー付きコネクタ１０１は、コネクタハウジング１１０と複数の端子１３０とからなるコネクタ１０２と、該コネクタ１０２に後から装着される電線カバー１２０とから構成されている。コネクタハウジング１１０の後面には電線引出部１１１が設けられており、電線引出部１１１に、各端子収容室の後端開口１１２が配列されている。端子１３０をコネクタハウジング１１０の各端子収容室に挿入すると、端子１３０に接続された電線Ｗは、電線引出部１１１から後方へ向けて引き出される。そして、これらの電線Ｗを保護しつつ所定の方向へ案内して導き出す目的で、コネクタ１０２の後部に電線カバー１２０が装着されている。
【０００５】
この場合の電線カバー１２０は、先にコネクタ１０２の後部に装着される上半体１２１と、該上半体１２１にヒンジ１２３を介して開閉自在に連結された下半体１２２とから構成されている。
【０００６】
この電線カバー付きコネクタ１０１を組み立てる場合は、まず、図１７及び図１８に示すように、コネクタハウジング１１０の各端子収容室に後端開口１１２から、電線Ｗの端末に接続した端子１３０を挿入する。全部の端子１３０を挿入してコネクタ１０２を組み立てたら、コネクタ１０２の後部から後方へ引き出された電線Ｗを、電線カバー１２０によって誘導しようとする方向へ曲げて癖付けする。
【０００７】
その状態で、図１９及び図２０に示すように、電線カバー１２０の上半体１２１をコネクタ１０２の後部に装着し、電線Ｗを電線カバー１２０の引出口１２５に位置合わせして、コルゲートチューブ１２８を嵌めながら下半体１２２を閉じ位置まで回動させ、上半体１２１と下半体１２２を互いにロックする。これにより、電線カバー付きコネクタ１０１が完成する。
【先行技術文献】
【特許文献】
【０００８】
【特許文献１】特開平９−１９９２２０号公報
【発明の概要】
【発明が解決しようとする課題】
【０００９】
ところで、従来の電線カバー付きコネクタ１０１においては、図２１及び図２２に示すように、電線カバー１２０をコネクタ１０２に装着する際に、コネクタ１０２から後方に延びる電線Ｗを癖付けしながら電線カバー１２０を装着するのであるが、コネクタ１０２には電線Ｗを規制するものがないために電線Ｗがばらけてしまい（図２１のＤ１円部）、電線カバー１２０を固定した段階で、ばらけた電線Ｗ１を電線カバー１２０とコネクタ１０２との間に噛み込んでしまうことがあった（図２２のＤ２円部）。このような電線Ｗの噛み込みが発生すると、作業をやり直さなくてはならないため、組立サイクルタイムが増加するという問題を生じていた。
【００１０】
本発明は、上述した事情に鑑みてなされたものであり、その目的は、電線カバーの装着時に電線の噛み込みを起こすことがなく、組立のサイクルタイムの削減を図ることのできる電線カバー付きコネクタを提供することにある。
【課題を解決するための手段】
【００１１】
本発明の上記目的は、下記の構成により達成される。
（１）コネクタの後部に、該コネクタの後部から引き出された複数の電線を保護しつつ所定の方向へ案内して導き出す電線カバーが装着された電線カバー付きコネクタにおいて、
前記コネクタに、該コネクタの後部から引き出された複数の電線を前記所定の方向へ向くように癖付けして規制する電線規制部が設けられていることを特徴とする電線カバー付きコネクタ。
【００１２】
（２）前記コネクタの後面に、後方へ向けて前記複数の電線を引き出す電線引出部が設けられ、
その電線引出部の近傍に、前記電線引出部から後方へ向けて引き出された複数の電線を引っ掛けることにより、該複数の電線を束の状態で前記コネクタの外面に沿った方向に屈曲させる第１の前記電線規制部が設けられ、
該第１の電線規制部から離れた位置に、該第１の電線規制部に引っ掛けられることで屈曲させられた電線の復元方向の反力を規制壁で受け止め且つその状態で前記複数の電線を束のまま保持することにより、前記電線を前記所定の方向へ向けて導き出す第２の前記電線規制部が設けられていることを特徴とする上記（１）に記載の電線カバー付きコネクタ。
【００１３】
（３）  前記コネクタの上部に、相手側コネクタを嵌合した際に該相手側コネクタのロック部と係合するロックアームが設けられており、そのロックアームの一部を覆うように前記電線カバーが延長されていることを特徴とする上記（１）または（２）に記載の電線カバー付きコネクタ。
【００１４】
（４）  第２の前記電線規制部は、電線保持用凹部を有する２つの半割筒体からなり、一方の前記半割筒体が他方の前記半割筒体にヒンジ部で回動可能に結合され、２つの前記半割筒体を閉状態で固定することで前記電線を規制することを特徴とする上記（１）〜（３）のいずれか一項に記載の電線カバー付きコネクタ。
【００１５】
（５）  回動可能な一方の前記半割筒体は、閉状態でコネクタ端部に圧接するガタ防止突部が形成されていることを特徴とする上記（４）に記載に電線カバー付きコネクタ。
【００１６】
上記（１）の構成の電線カバー付きコネクタによれば、コネクタに、該コネクタの後部から引き出された複数の電線を所定の方向へ向くように癖付けして規制する電線規制部が設けられているので、電線のばらけを防ぐことができ、電線カバーの装着時における電線の噛み込みの問題を解消することができる。従って、組立のサイクルタイムの削減を図ることができる。
【００１７】
上記（２）の構成の電線カバー付きコネクタによれば、コネクタの後部から引き出された複数の電線を、第１の電線規制部に引っ掛けて屈曲させ、更にその電線を第２の電線規制部により規制しながら保持することにより、ばらけを防ぎながら電線を固定することができるので、電線カバーを容易に装着することができる。
【００１８】
上記（３）の構成の電線カバー付きコネクタによれば、電線カバーの延長部によりロックアームの一部を覆い隠すことができるので、ロックアームを不用意に解除操作するのを防ぐことが可能になる。
【００１９】
上記（４）の構成の電線カバー付きコネクタによれば、電線固定用のテープが不要になり、電線をコネクタに固定することができる。
【００２０】
上記（５）の構成の電線カバー付きコネクタによれば、電線カバーの電線規制部をガタつきのないように固定するとともに電線規制部の変形を防止することができる。
【発明の効果】
【００２１】
本発明によれば、コネクタに設けられた電線規制部によって電線のばらけを防ぐことができるので、電線カバーの装着時における電線の噛み込みの問題を解消することができ、組立のサイクルタイムの削減を図ることができる。
【図面の簡単な説明】
【００２２】
【図１】本発明の実施形態の電線カバー付きコネクタの構成図で、コネクタハウジングに端子を装着する前の状態を示す斜視図である。
【図２】コネクタハウジングに電線の付いた端子を装着することでコネクタを構成した状態を示す平面図である。
【図３】コネクタの後部から引き出された電線を横方向に癖付けしながら引き出している状態を示す平面図である。
【図４】（ａ）及び（ｂ）は、コネクタの後部から引き出された電線を、第１の電線規制部であるガイド突起に引っ掛けることで、コネクタの外面に沿って上方向及び前方向に束の状態のまま屈曲させて延ばし、その状態でさらに第２の電線規制部である電線保持部の電線通し溝に通すことで、電線を束の状態のまま保持固定した状態を示す平面図及び後面図である。
【図５】電線を第１、第２の電線規制部によって保持固定した状態で、コネクタの後部に電線カバーを装着しようとしている状態を示す斜視図である。
【図６】コネクタの後部に電線カバーを装着して電線カバー付きコネクタを完成させた状態を示す斜視図である。
【図７】同完成した電線カバー付きコネクタの平面図である。
【図８】図７のＶＩＩＩ−ＶＩＩＩ矢視断面図である。
【図９】電線規制部が無かった場合の比較例のコネクタを示す平面図である。
【図１０】図９のコネクタに電線カバーを装着した場合の問題点の説明用の平面図である。
【図１１】第１実施形態の電線カバー付きコネクタに電線を固定した状態の側面図である。
【図１２】第２実施形態の電線カバー付きコネクタのカバー装着前の分解斜視図である。
【図１３】図１２のコネクタのカバー装着後、下側延長板を閉じる前の斜視図である。
【図１４】図１３のコネクタの下側延長板を閉じた状態の斜視図である。
【図１５】図１４のコネクタを裏側から見た斜視図である。
【図１６】図１４のコネクタの側面図である。
【図１７】従来の電線カバー付きコネクタの構成図で、コネクタハウジングに端子を装着する前の状態を示す斜視図である。
【図１８】同コネクタハウジングに電線の付いた端子を装着することでコネクタを構成し、コネクタの後部から後方へ引き出された電線を束にして所定の方向へ向かうよう癖付けしている状態を示す斜視図である。
【図１９】図１２の状態のコネクタの後部を覆うように電線カバーの上半体をコネクタに装着した状態を示す斜視図である。
【図２０】電線カバーの下半体を上半体にロックさせて電線カバーをコネクタの後部に装着した状態を示す斜視図である。
【図２１】図１２のように電線を癖付けしている時に何本かの電線がばらけてしまった状態を示す斜視図である。
【図２２】図１５の状態のまま電線カバーをコネクタの後部に装着した際に、ばらけた電線を電線カバーとコネクタとの間に噛み込んでしまった状態を示す斜視図である。
【発明を実施するための形態】
【００２３】
以下、本発明の実施形態を図面を参照して説明する。
図１は実施形態の電線カバー付きコネクタの構成図で、コネクタハウジングに端子を装着する前の状態を示す斜視図、図２はコネクタハウジングに電線の付いた端子を装着することでコネクタを構成した状態を示す平面図、図３はコネクタの後部から引き出された電線を横方向に癖付けしながら引き出している状態を示す平面図、図４（ａ）及び（ｂ）は、コネクタの後部から引き出された電線を、第１の電線規制部であるガイド突起に引っ掛けることで、コネクタの外面に沿って上方向及び前方向に束の状態のまま屈曲させて延ばし、その状態でさらに第２の電線規制部である電線保持部の電線通し溝に通すことで、電線を束の状態のまま保持固定した状態を示す平面図及び後面図、図５は電線を第１、第２の電線規制部によって保持固定した状態で、コネクタの後部に電線カバーを装着しようとしている状態を示す斜視図、図６はコネクタの後部に電線カバーを装着して電線カバー付きコネクタを完成させた状態を示す斜視図、図７は完成した電線カバー付きコネクタの平面図、図８は図７のＶＩＩＩ−ＶＩＩＩ矢視断面図である。
【００２４】
図１に示すように、この電線カバー付きコネクタ１は、コネクタハウジング１０及びコネクタハウジング１０に収容される複数の端子３０（図１では代表として１個だけを記載）とからなるコネクタ２と、該コネクタ２に後から装着される電線カバー２０とから構成されている。電線カバー２０は、コネクタ２の後部から引き出された複数の電線Ｗを保護しつつ所定の方向へ案内して導き出す目的で設けられている。
【００２５】
コネクタハウジング１０の後面には、端子３０から後方へ延びる複数の電線を引き出す電線引出部１１が設けられており、電線引出部１１に、各端子収容室の後端開口１２が横（左右方向）に並べて一列に配列されている。また、コネクタハウジング１０の上面の幅方向中央には、相手側コネクタと嵌合した際に相手側コネクタハウジングのロック部と係合するロックアーム１３が設けられている。
【００２６】
図２〜図４に示すように、端子３０（図１参照）をコネクタハウジング１０の各端子収容室に挿入すると、端子３０に接続された電線Ｗは、電線引出部１１から後方へ向けて引き出される。コネクタハウジング１０の後面の端子収容室の後端開口１２の配列の上側（電線引出部１１の近傍に相当）には、後面側から見て右端の端子収容室の後端開口１２の近傍に位置させて、コネクタ２の後部から引き出された複数の電線Ｗを引っ掛けることにより、それら複数の電線Ｗを束の状態でコネクタ２の外面に沿った上方向及び前方向に屈曲させる第１の電線規制部としてのガイド突起１５が設けられている。このガイド突起１５は、確実に電線Ｗを引っ掛けることができるように、電線引出部１１の後端１１ａよりも後方に突出している。
【００２７】
このガイド突起１５に引っ掛けて屈曲させることでコネクタ２の外面に沿って上方向から前方向に向けて延ばした電線Ｗの束は、そのままでは電線Ｗ自身の復元力により元の形態に戻ってしまう。そこで、その復元方向の力を受け止められるように、第２の電線規制部としての電線保持部１６が、コネクタ２の上面の後面側から見て右側部に設けられている。この電線保持部１６は、後方から見て倒立Ｌ字形断面の規制壁１６ｂにより構成されており、規制壁１６ｂの内側に、コネクタ２の幅方向中央に向けて開放し且つ前後方向に貫通した電線通し溝１６ａを有している。
【００２８】
ガイド突起１５と電線保持部１６は、ガイド突起１５に引っ掛けて屈曲させることでコネクタ２の上面に沿って前方に延ばした電線Ｗが、電線保持部１６の電線通し溝１６ａにちょうど収まるような位置関係にあり、ガイド突起１５と電線保持部１６は離れた位置にある。そして、ガイド突起１５で屈曲させた電線Ｗを電線保持部１６の電線通し溝１６ａに通すことにより、電線Ｗを束のままばらけずに保持することができ、電線Ｗを前方へ向けて誘導することができるようになっている。
【００２９】
一方、電線カバー２０は、コネクタ２の後面全体を覆う袋形のカバー本体部２１と、そのカバー本体部２１の、後方から見て右片側に前に突き出すように連設された電線保持部カバー部２２と、その電線保持部カバー部２２の前側に延長された延長板２３とを有している。カバー本体部２１は、単にコネクタ２の後面ばかりでなく、コネクタ２の後半部の上面や側面や下面をも覆える大きさに形成されており、不用意に解除操作が行われないようにするためにロックアーム１３の一部をも覆えるようになっている。但し、真上から解除操作する際には、指でロックアーム１３の解除操作部を押圧操作できるように、カバー本体部２１の上壁には切欠２６が設けられている。
【００３０】
この電線カバー付きコネクタ１を組み立てる場合、まず、図１に示すように、電線Ｗの端末に接続された端子３０をコネクタハウジング１０の各端子収容室に後端開口１２から挿入しセットする。図２のように全部の端子３０の挿入・セットを終えてコネクタ２を組み立てたら、図３の矢印Ａで示すように、コネクタ２の後部の電線引出部１１から後方へ引き出された複数の電線Ｗをいったん横方向に曲げながら引き出す。そして、図４の矢印Ｂで示すように、全ての電線Ｗを束にした状態で、ガイド突起１５の下側からガイド突起１５に引っ掛けながら上方に持ち上げ、そのままコネクタハウジング１０の上面に沿って前方へ誘導して、電線保持部１６の電線通し溝１６ａに通す。
【００３１】
こうすることにより、ガイド突起１５に引っ掛けられることで屈曲させられた電線Ｗの復元方向の反力を、電線保持部１６の断面Ｌ字形の規制壁１６ｂで受け止めることができ、その状態で複数の電線Ｗを束のまま保持することができて、電線Ｗを前方（電線カバー２０で誘導しようとする所定の方向）へ向けて導き出すことができる。
【００３２】
図５及び図６に示すように、以上のごとく電線Ｗを癖付けした状態で電線規制部（ガイド突起１５及び電線保持部１６）により保持固定したら、後方からコネクタ２の後部に電線カバー２０を装着する。装着した状態で、電線カバー２０のカバー本体部２１が、コネクタ２の後面全体を覆い隠すと共に、図７及び図８に示すようにロックアーム１３の一部をも覆い隠す。また、電線保持部カバー部２２が、前方に向けて癖付けした電線Ｗの屈曲部や電線保持部１６を覆い隠す。また、延長板２３が、前方に向かう電線Ｗの上側に沿って延びる。従って、延長板２３をプロテクタとして電線Ｗをテープ巻きすることができる。
【００３３】
以上のように、本実施形態の電線カバー付きコネクタ１によれば、コネクタ２に、該コネクタ２の後部から引き出された複数の電線Ｗを所定の方向へ向くように癖付けして規制する電線規制部（ガイド突起１５及び電線保持部１６）が設けられているので、電線Ｗのばらけを防ぐことができ、電線カバー２０の装着時における電線Ｗの噛み込みの問題を解消することができる。従って、組立のサイクルタイムの削減を図ることができる。
【００３４】
特に、コネクタ２の後部から引き出された複数の電線Ｗを、第１の電線規制部であるガイド突起１５に引っ掛けて屈曲させ、更にその電線Ｗを第２の電線規制部である電線保持部１６により規制しながら保持することができるので、ばらけを確実に防ぎながら電線Ｗを固定することができ、電線カバー２０を容易に装着することができる。
【００３５】
ちなみに、図９に示すような、ガイド突起１５や電線保持部１６を持たないコネクタ２Ｂについて考えてみると、コネクタハウジング１０ＢのＣ１円部やＣ２円部で示す位置に電線Ｗを誘導する部分がないので、一部の電線Ｗ１、Ｗ２がばらけやすくなる。そのため、図１０に示すように、電線カバー２０をコネクタ２Ｂの後部に装着した際に、それらのばらけた電線Ｗ１、Ｗ２を電線カバー２０とコネクタ２Ｂとの間に噛み込むおそれが出てくる。
【００３６】
従って、本実施形態の電線カバー付きコネクタ１のように、ガイド突起１５や電線保持部１６を設けたことによる、電線Ｗの噛み込み防止効果の意義は大きいと言える。
【００３７】
また、この電線カバー付きコネクタ１においては、電線カバー２０のカバー本体部２１の上壁の延長部分によりロックアーム１３の一部を覆い隠すことができるので、ロックアーム１３を不用意に解除操作するのを防ぐことが可能になる。
【００３８】
次に、本発明の第２実施形態について説明する。なお、第２実施形態の説明において、第１実施形態と同じ部材については同じ符号を付して、その説明は省略する。
【００３９】
図１１は第１実施形態の電線カバー付きコネクタに電線を固定した状態の側面図、図１２は第２実施形態の電線カバー付きコネクタのカバー装着前の分解斜視図、図１３は図１２のコネクタのカバー装着後、下側延長板を閉じる前の斜視図、図１４は図１３のコネクタの下側延長板を閉じた状態の斜視図、図１５は図１４のコネクタを裏側から見た斜視図、図１６は図１４のコネクタの側面図である。
【００４０】
図６に示す第１実施形態の電線カバー付きコネクタ１は、図１１に示すように電線Ｗを粘着テープＴにより、電線保持部カバー部２２の延長板２３に固定される。このとき、電線Ｗは、上側を延長板２３により規制されているが、下側は粘着テープＴで規制されているだけである。従って、電線Ｗに矢印Ｃで示す下方への力が作用した場合、粘着テープＴが損傷して電線Ｗが外れるおそれがある。
【００４１】
そこで、図１２〜図１６に示すように、第２実施形態の電線カバー付きコネクタ１Ａは、延長板２３が上側延長板２３ａと下側延長板２３ｂとで構成されている。下側延長板２３ｂはヒンジ部２４により上側延長板２３ａに図１３に矢印Ｄで示すように回動可能に連結されている。上側延長板２３ａ及び下側延長板２３ｂは、断面が略コ字形状又はＣ字形状の半割筒体として形成され、互いの凹部が対向するように閉じられて電線収容部を構成する。そして、閉じられた上側延長板２３ａ及び下側延長板２３ｂは、ロック機構２５により閉状態を固定される。ロック機構２５は、上側延長板２３ａに形成された２つのロック爪２５ａと、下側延長板２３ｂに形成された２つの係止枠２５ｂとからなり、係止枠２５ｂがロック爪２５ａに係止されることで、上側延長板２３ａと下側延長板２３ｂの閉状態が固定される。
【００４２】
図１２は電線カバー２０をコネクタ２に挿着する前の状態の斜視図であり、電線カバー２０の下側延長板２３ｂは開いた状態になっている。図１３に示すように、電線カバー２０がコネクタ２に挿着された後、下側延長板２３ｂを矢印Ｄのように回動させて閉じ、図１４及び図１５に示すように、ロック機構２５により下側延長板２３ｂの閉状態を固定する。
【００４３】
また、下側延長板２３ｂには、図１６に示すように、閉状態でコネクタハウジング１０の前端に圧接するガタ防止突部２７が形成されている。ガタ防止突部２７は、下側延長板２３ｂのコネクタ側の端部に形成され、コネクタハウジング１０の前端に圧接することで、下側延長板２３ｂとコネクタハウジング１０とのガタつきを防止する。また、ガタ防止突部２７は、コネクタハウジング１０の前端の上下方向に所定長さにわたって接することで、電線Ｗに下方への力が作用した場合にも、下側延長板２３ｂに十分な抗力が作用し、下側延長板２３ｂが変形することを防止する。
【００４４】
このように、第２実施形態の電線カバー付きコネクタ１Ａによれば、電線カバー２０に形成された上側延長板２３ａと下側延長板２３ｂとで電線Ｗを保持して固定するので、電線Ｗを粘着テープＴで電線カバー２０に固定する必要がない。また、上側延長板２３ａと下側延長板２３ｂで電線Ｗの周囲を覆っているので、電線カバー２０による電線保持力が増大する。更に、下側延長板２３ｂに形成したガタ防止突部２７がコネクタハウジング１０の前端に圧接することで、下側延長板２３ｂのガタつき及び変形を防止することができ、電線Ｗが外れることを防止することができる。
【００４５】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、上記実施形態では、コネクタ２の後部から引き出された電線Ｗを前方に向けて誘導する場合を示したが、電線Ｗを誘導する方向は特に限定されず、誘導する方向に応じて電線規制部を設ければよい。
【符号の説明】
【００４７】
１  電線カバー付きコネクタ
２  コネクタ
１０  コネクタハウジング
１１  電線引出部
１５  ガイド突起（第１の電線規制部）
１６  電線保持部（第２の電線規制部）
１６ａ  電線通し溝
１６ｂ  規制壁
２０  電線カバー
２６  切欠
３０  端子
Ｗ  電線
【図１】
2012221805.tif 000003
【図２】
2012221805.tif 000004
【図３】
2012221805.tif 000005
【図４】
2012221805.tif 000006
【図５】
2012221805.tif 000007
【図６】
2012221805.tif 000008
【図７】
2012221805.tif 000009
【図８】
2012221805.tif 000010
【図９】
2012221805.tif 000011
【図１０】
2012221805.tif 000012
【図１１】
2012221805.tif 000013
【図１２】
2012221805.tif 000014
【図１３】
2012221805.tif 000015
【図１４】
2012221805.tif 000016
【図１５】
2012221805.tif 000017
【図１６】
2012221805.tif 000018
【図１７】
2012221805.tif 000019
【図１８】
2012221805.tif 000020
【図１９】
2012221805.tif 000021
【図２０】
2012221805.tif 000022
【図２１】
2012221805.tif 000023
【図２２】
2012221805.tif 000024